(57)【特許請求の範囲】
【請求項１】
ロッド部分に複数のコードを結束させるコードクランパーであって、
前記結束すべきコードの直径に対応させた寸法を前記ロッド部分の直径に加えた内径で円弧状に延在する外周片部と、
前記外周片部の周方向の両端から前記ロッド部分の直径に対応した内径で円弧状に延在する一対の把持片部と、
前記外周片部の内周部に、前記結束すべきコードの直径に対応させた間隔を周方向において前記ロッド状部分の外周部に至る長さで突設された複数の仕切り片部とを備え、
前記コードクランパーは、一対の把持片部を開いた状態で、これら把持片部の先端の間に前記ロッド部分の外径よりも大きな寸法の隙間が形成されると共に、前記コードクランパーの内側に前記ロッド部分を位置させ前記一対の把持片部から手を離した状態で、前記複数の仕切り片部の先端と一対の把持片部とが前記ロッド部分に当接し、かつ、把持片部でロッド部分を押圧して該コードクランパーがロッド部分に保持される弾性変形可能な材料で形成されている、
ことを特徴とするコードクランパー。
【請求項２】
前記ロッド部分の外周部と、前記外周片部と、隣合う仕切り片部とによりコードの収納空間が形成される請求項１記載のコードクランパー。
【請求項３】
前記複数の仕切り片部の先端と一対の把持片部とが前記ロッド部分に当接し、かつ、把持片部でロッド部分を押圧して該コードクランパーがロッド部分に保持された状態で、一対の把持片部の先端間には隙間が形成される請求項１または２記載のコードクランパー。
【請求項４】
前記弾性変形可能な材料は合成樹脂である請求項１記載のコードクランパー。
【発明の詳細な説明】
【０００１】
【産業上の利用分野】
本発明は、複数のコードを支柱等のようなロッド部分に結束するコードクランパーに関する。
【０００２】
【従来の技術】
複数のコードを支柱等のようなロッド部分に結束するコードクランパーとして、従来、バンド方式のものやマジックファスナー方式のもの等が知られている。
【０００３】
【発明が解決しようとする課題】
しかし、これらのコードクランパーは、コードを取り付ける手間が煩雑で時間がかかるばかりでなく、取り付けた状態の見栄えが良くないこと、さらに、支柱等に一度固定すると取り外しが容易でなく、かつコードクランパーの金型が高価であること等の問題があった。
【０００４】
本発明は前記事情に鑑み案出されたものであって、本発明の目的は、複数のコード類を簡単かつ短時間で支柱に結束させて取り付け可能で、かつ取付状態の見栄えが良いばかりでなく、簡単に取り外しが可能で、何度でも繰り返し使用可能であると共に、製作費が安価なコードクランパーを提供することにある。
【０００５】
【課題を解決するための手段】
前記目的を達成するため本発明は、ロッド部分に複数のコードを結束させるコードクランパーであって、前記結束すべきコードの直径に対応させた寸法を前記ロッド部分の直径に加えた内径で円弧状に延在する外周片部と、前記外周片部の周方向の両端から前記ロッド部分の外径に対応した内径で円弧状に延在する一対の把持片部と、前記外周片部の内周部に、前記結束すべきコードの直径に対応させた間隔を周方向において前記ロッド状部分の外周部に至る長さで突設された複数の仕切り片部とを備え、前記コードクランパーは、一対の把持片部を開いた状態で、これら把持片部の先端の間に前記ロッド部分の外径よりも大きな寸法の隙間が形成されると共に、前記コードクランパーの内側に前記ロッド部分を位置させ一対の把持片部から手を離した状態で、前記複数の仕切り片部の先端と一対の把持片部とが前記ロッド部分に当接し、かつ、把持片部でロッド部分を押圧して該コードクランパーがロッド部分に保持される弾性変形可能な材料で形成されていることを特徴とする。
【０００６】
また、本発明は、前記ロッド部分の外周部と、前記外周片部と、隣合う仕切り変部とによりコードの収納空間が形成されることを特徴とする。
また、本発明は、前記複数の仕切り片部の先端と一対の把持片部とが前記ロッド部分に当接し、かつ、把持片部でロッド部分を押圧して該結束具がロッド部分に保持された状態で、一対の把持片部の先端間には隙間が形成されることを特徴とする。
また、本発明は、前記弾性変形可能な材料は合成樹脂であることを特徴とする。
【０００７】
【作用】
本発明によれば、複数のコードを、外周片部の内周側において仕切り片部の間に挿入しておき、一対の把持片部を開いてロッド部分にクランパーを押し込む。これにより、クランパーはロッド部分に保持され、複数のコードはロッド部分の外周に結束された状態となる。
【０００８】
【実施例】
以下、本発明の実施例を、車内に配設されるチューナー付きのビデオのコードの結束に適用した実施例について説明する。
図６は自動車の前座席付近を示し、図７は後座席付近を示している。
座席の前後のスライドレール等の座席金具２に支柱４の基部が固定され、この支柱４の先部にチューナー付きのビデオ６が装着されている。
支柱４は、図４に示すように、アーム部４１と、このアーム部４１の基端に設けられた取付金具４２と、アーム部４１の上端に設けられたチューナー付きのビデオの装着部４３と、アーム部４１を覆うカバー４４等で構成され、装着部４３の下端とアーム部の上端との間にロッド部分４３Ａが設けられている。
そして、チューナー付きのビデオに接続される音声用コード、カーバッテリーコード、テレビケーブル、ダイバーシティアンテナコード等のコード１０がカバー４４内に配設され、これらのコード１０は実施例に係るコードクランパー８によりロッド部分４３Ａに結束されている。
【０００９】
図１はコードクランパーの平面図、図２は同正面図、図３は図１のＡーＡ線断面図を示す。
コードクランパー８は、ロッド部分４３Ａの外側において円弧状に延在する外周片部８２と、外周片部８２の両端からそれぞれ延在する一対の把持片部８４と、外周片部８２の内周部の周方向に間隔をおいて箇所から突出する複数の仕切り片部８３とを備え、一対の把持片部８４の先端間には隙間８５が形成されている。
【００１０】
前記外周片部８２は、結束すべきコード１０の直径よりも大きな寸法をロッド部分４３Ａの直径に加えた内径で形成されている。
前記複数の仕切り片部８３は、外周片部８２の内周部から結束すべきコード１０の直径よりも大きな間隔を周方向において内側に突設され、その突設長さは、先端がロッド状部分４３Ａの外周部に至る寸法で形成されている。
前記一対の把持片部８４は、ロッド部分４３Ａの外周に対応した内径で円弧状に形成され、把持片部８４の基部８４Ａはロッド部分４３Ａの径方向外方に延在し前記外周片部８２に接続し、この実施例では基部８４Ａも仕切り片部８３を構成している。
コードクランパー８がロッド部分４３Ａに取着された状態で、外周片部８２の内周と、ロッド部分４３Ａの外周と、隣り合う二つの仕切り片部８３により、コード収納用の空間部８１が形成される。
【００１１】
前記コードクランパー８は弾性変形可能な合成樹脂により形成されている。
そして、一対の把持片部８４を開いた状態で、これら把持片部８４の先端の間の隙間８５が、前記ロッド部分４３Ａの外径よりも大きな寸法となるように形成されている。
また、一対の把持片部８４を開いた状態でロッド部分４３Ａにコードクランパー８を押し込んでコードクランパー８の内側にロッド部分４３Ａを位置させ、一対の把持片部８４から手を離なすと、弾性復帰し、前記複数の仕切り片部８３の先端がロッド部分４３Ａに当接すると共に、一対の把持片部８４がロッド部分４３Ａに当接し、かつ、把持片部８４でロッド部分４３を押圧してコードクランパー８がロッド部分４３Ａに保持されるように形成されている。
【００１２】
次に、コードクランパー８の使用方法について説明する。
支柱４の装着部４３にチューナー付きのビデオ６を取り付けた後、チューナー付きのビデオ６に配線されるコード１０を外周片部８２の内側で仕切り片部８３の間に挿入する。
次に、一対の把持片部８４を開いて隙間８５を拡げ、隙間８５からコードクランパー８をロッド部分４３Ａに押し込み、コードクランパー８の内側にロッド部分４３Ａを位置させる。
そして、コードクランパー８から手を離すと、図４及び図５に示すように、コードクランパー８が弾性復帰し、把持片部８４によりコードクランパー８がロッド部分４３Ａに保持され、複数のコード１０はそれぞれ空間部８１に収納され、コード１０がロッド部分４３Ａに結束される。
【００１３】
結束されたコード１０は、ロッド部分４３Ａの周方向に沿って一定間隔毎に整列され、見栄えが良い。
また、装着されたコードクランパー８は、外周片部８２を、隙間８５とは反対の方向で、かつ、ロッド部分４３Ａの径方向外側へ手で引っ張るだけで簡単に取り外すことができ、ワンタッチで簡単に着脱可能である。
また、コードクランパー８は押し出し成形でき、従来のように金型成形する場合に比べて極めて安価に製造できる。
【００１４】
尚、実施例では、車内に配設されるチューナー付きのビデオのコードの結束に適用した場合について説明したが、本発明に係るコードクランパーは、例えば、建物の電気機器、器具のコードの結束、あるいは、電気機器や器具内部でのコードの結束等、各種の分野において広く適用される。
【００１５】
【発明の効果】
以上説明したように本発明は、ロッド部分に複数のコードを結束させるコードクランパーであって、前記結束すべきコードの直径に対応させた寸法を前記ロッド部分の直径に加えた内径で円弧状に延在する外周片部と、前記外周片部の周方向の両端から前記ロッド部分の外周部に対応した内径で円弧状に延在する一対の把持片部と、前記外周片部の内周部に、前記結束すべきコードの直径に対応させた間隔を周方向において前記ロッド状部分の外周部に至る長さで突設された複数の仕切り片部とを備え、前記コードクランパーは、一対の把持片部を開いた状態で、これら把持片部の先端の間に前記ロッド部分の外径よりも大きな寸法の隙間が形成され、前記コードクランパーの内側に前記ロッド部分を位置させ一対の把持片部から手を離した状態で、前記複数の仕切り片部の先端と一対の把持片部とが前記ロッド部分に当接し、かつ、把持片部でロッド部分を押圧して該コードクランパーがロッド部分に保持される弾性変形可能な材料で形成されている。
そのため、複数のコードを簡単かつ短時間でロッド部分に結束できるばかりでなく、結束状態の見栄えが良く、かつ簡単に取り外しが可能で、安価に製造できる。
【図面の簡単な説明】
【図１】コードクランパーの平面図である。
【図２】コードクランパーの正面図である。
【図３】図１のＡーＡ線断面図である。
【図４】コードクランパーの使用状態の正面図である。
【図５】コードクランパーの使用状態の断面平面図である。
【図６】コードクランパーの使用状態の説明図である。
【図７】コードクランパーの使用状態の説明図である。
【符号の説明】
４  支柱
４３Ａ  ロッド部分
８  コードクランパー
１０  コード
８１  コード収納用の空間部
８２  外周片部
８３  仕切り片部
８４  把持片部
８５  隙間
【図１】
0003629748.tif 000002
【図２】
0003629748.tif 000003
【図３】
0003629748.tif 000004
【図４】
0003629748.tif 000005
【図５】
0003629748.tif 000006
【図６】
0003629748.tif 000007
【図７】
0003629748.tif 000008